(57)【要約】【課題】消費電力を抑えたプリンタ給電方法及びプリンタを提供する。【解決手段】プリンタの省電力状態時に休止状態にすべき回路の電源への給電を、部分的に停止する。【選択図】図１
2011098482.tif 000002
【特許請求の範囲】
【請求項１】
プリンタの省電力状態時に休止状態にすべき回路の電源への給電を、部分的に停止することを特徴とするプリンタ給電方法。
【請求項２】
請求項１記載のプリンタ給電方法において、前記省電力状態から定常状態への復帰に必要な回路の電源及びその他の電源を持ち、前記省電力状態から前記定常状態への復帰に必要な回路以外の電源の動作を停止することを特徴とするプリンタ給電方法。
【請求項３】
請求項２記載のプリンタ給電方法において、前記省電力状態からの復帰に必要な回路の電源にはコンデンサから給電を行い、該コンデンサの電圧が所定の電圧以下に低下した場合に補充電をすることを特徴とするプリンタ給電方法。
【請求項４】
印刷を行うエンジン部と、画像データの処理及び該エンジン部のパワー制御を行うコントローラとを有するプリンタにおいて、
前記コントローラは、プリンタの省電力状態時に、休止状態にすべき回路の電源への給電を部分的に停止するようにしたことを特徴とするプリンタ。
【請求項５】
請求項４記載のプリンタにおいて、前記省電力状態から定常状態への復帰に必要な回路の電源及びその他の電源を持ち、
前記コントローラは、前記省電力状態から前記定常状態への復帰に必要な回路以外の電源の動作を停止するようにしたことを特徴とするプリンタ。
【請求項６】
請求項５記載のプリンタにおいて、
電源回路と、
前記電源回路の出力端に接続されたコンデンサと、
前記電源回路をオンオフするスイッチ部と、
前記電源回路の出力電圧を検出し、前記コンデンサの電圧が所定の値以下になると補充電をするため前記スイッチ部をオンにし、前記コンデンサの電圧が所定の値より大きくなると前記スイッチ部をオフにする信号を前記スイッチ部に送る定電圧検出部と、
を有し、
前記コントローラは、前記省電力状態からの復帰に必要な回路の電源には前記コンデンサから給電を行うようにしたことを特徴とするプリンタ。
【発明の詳細な説明】
【技術分野】
【０００１】
本発明は、プリンタ給電方法及びプリンタに関する。
【背景技術】
【０００２】
図５は、従来のプリンタのブロック図であり、図６は、図５に示したプリンタに用いられる種電源及び電力制御用電源の概略図である。
図５に示すプリンタは、実際に印刷を行なうエンジン２４と、画像データの展開や処理およびエンジンのパワー制御を行なうコントローラ２５とから構成される。
【０００３】
電力制御用電源３及び主電源６への給電は、交流電源１から電源スイッチ２を経由して行われる。
電力制御用電源３は、電力制御部４を駆動するための電源であり、電力制御部４は、エンジン２４を駆動するための主電源６の動作を制御する。
電力制御部４は、エンジン２４が動作できる条件であれば主電源６を駆動し、エンジン２４の主回路７に給電を行なう。
【０００４】
図６に示す主電源６及び電力制御用電源３において、交流電源入力は、ダイオードスタック１５で直流に変換され、電源の動作に必要な回路を動作させるための定電圧回路１６が動作する。
定電圧回路１６の出力は、電源制御回路１７に給電され、電源制御回路１７は電源制御信号入力２６及び定電圧検出部２３の出力に基づきＦＥＴ(Field Effect Transistor：電界効果トランジスタ)１９をスイッチングする。ＦＥＴ１９がスイッチングを行なうことでトランス１８の二次側に交流電圧が発生し、ダイオード２０およびダイオード２１で整流後、コンデンサ２２で平滑することで安定した直流定電圧を作り出す。
【０００５】
定電圧検出部２３は、直流出力を電源制御回路１７にフィードバックし、直流出力を安定させる働きをする。主電源６の電源制御回路１７は、外部からの信号で動作/停止の制御が可能な電源制御信号入力２６を備えている。
【０００６】
図５に示す構成のプリンタは、省電力状態では電力制御部４が主電源６の動作を停止する事により待機電力を小さくする構成である。また図６に示す従来のプリンタの主電源６は、省電力状態では外部からの電源制御信号入力２６で動作の停止制御を行なうが、主電源６は動作停止時にも定電圧回路１６や電源制御回路１７には給電されているため、電力の消費が発生する。
【０００７】
つまり、図５に示す構成のプリンタでは、電力制御用電源３と電力制御部４とが省電力状態での電力を決定する。電力制御用電源３の場合は省電力状態でも電力制御部４及び主電源６の制御等で回路を動かす必要があるため、電源制御信号入力２６はオンのまま、もしくは電源制御信号入力２６の無い電源を使う。
【０００８】
プリンタの省電力化については、特許文献１に記載の発明において、プリンタは省電力状態から起動して定常状態になるまでに時間が掛かるために使い勝手が悪く、プリンタの多くは待機状態になってから省電力状態に遷移するまでの時間をオペレータが設定できる機能を持っているため、実使用ではオペレータにより省電力状態にならない様にプリンタを設定されているか、あるいは省電力状態に遷移するまでの時間を延ばして設定することで省電力状態が有効に使われていない事に着眼し昼間は待機状態から省電力状態へ遷移する時間を長くし、夜は省電力状態へ遷移する時間を短くするという省電力状態への移行時間を可変することで省電力化する技術を開示している。
【０００９】
しかし省電力状態での電源装置自体の省電力化については従来の電源装置のままであり、主電源６の定電圧回路１６や電源制御回路１７と電力制御用電源３および電力制御部４で消費される電力は発生するため省電力状態での電力は減らない。プリンタが一定時間で定期的に印刷を行なう様な使われ方をするのは稀で、オペレータが印刷出力したい時に印刷を行なうことが一般的である。特許文献１に記載の発明は昼と夜で省電力状態になる時間を可変するが、実際は使われる条件によって電力の削減効果がない場合がある。
【発明の概要】
【発明が解決しようとする課題】
【００１０】
ところで、省電力状態になったプリンタは再立ち上げ時に時間が掛かるなど使い勝手が悪く、オペレータが省電力状態を使いたがらず省電力状態に移行するまでの時間を長く設定したり省電力を無効に設定したりして使う事が多かった。特許文献１に記載の発明は省電力状態に遷移するまでの時間を自動で変化させる事で使い勝手が悪くならないようにものである。
【００１１】
しかしながら、オペレータがプリンタの実使用状態の変化に応じて省電力状態に遷移するまでの時間設定を頻繁に調整しながら使うことは困難であり一度設定してしまうと実使用条件に合わせながらプリンタを使うことは困難である。
したがって、待機状態から省電力状態に遷移する時間の変更ではいかなる場合でも電力消費量を減らすことは無理があり実際のプリンタの電力を抑える方がいかなる場合も効果的である。
【００１２】
現在、一般的なプリンタの多くは省電力規格の代表であるエナジースター(米国環境保護局ＥＰＡが推進する、電気機器の省電力化プログラム)の基準が主流であり、製造元や販売元が想定した使われ方をした場合の電力量で規定されたＴＥＣ(Typical Electricity Consumption)方式が適用される。
ＴＥＣ方式は、製造者や販売者の想定した使い方の印刷、待機、省電力、イニシャライズ等のシーケンスと時間を想定した組み合わせで電力測定し、各プリンタのカテゴリーで規定されたレベル以下であればエナジースター対応機とすることができるが実使用状態はユーザによって異なる。
プリンタの場合は、省電力状態で止まっている時間が印刷している時間より長い場合が一般的な使われ方であり省電力状態での電力を規定したＯＭ(Operational Mode)方式での電力を小さくすることが省電力化には必要である。
ＯＭ方式とは、スリープ時及び待機時の消費電力が所定の値以下であることと、スリープ状態への移行時間が無動作状態になってから５〜６０分以内にスリープ状態になることを判定基準とする方式である。
【００１３】
しかしながら、図５に示した従来のプリンタの電源系統図の様なプリンタの電源では交流が給電されているだけでも電源内部の回路を動かすために電力を消費する。また、図６に示した従来のプリンタの主電源及び電力制御用電源の概略図に示す低電圧回路１６及び電圧制御回路１７は省エネルギー状態でも電源を動作させる電源内部の回路で電力が消費される。大判プリンタであれば基準値は最大でも１５Ｗ、最小では１．４Ｗであり、年々厳しくなる省エネルギー基準を満足するためには省エネルギー状態での電源内部での消費電力を抑える事が必要となった。
【００１４】
そこで、本発明の目的は、消費電力を抑えたプリンタ給電方法及びプリンタを提供することにある。
【課題を解決するための手段】
【００１５】
上記課題を解決するため、請求項１記載の発明は、プリンタの省電力状態時に休止状態にすべき回路の電源への給電を、部分的に停止することを特徴とする。
【００１６】
請求項２記載の発明は、請求項１記載の発明において、前記省電力状態から定常状態への復帰に必要な回路の電源及びその他の電源を持ち、前記省電力状態から前記定常状態への復帰に必要な回路以外の電源の動作を停止することを特徴とする。
【００１７】
請求項３記載の発明は、請求項２記載の発明において、前記省電力状態からの復帰に必要な回路の電源にはコンデンサから給電を行い、該コンデンサの電圧が所定の電圧以下に低下した場合に補充電をすることを特徴とする。
【００１８】
請求項４記載の発明は、印刷を行うエンジン部と、画像データの処理及び該エンジン部のパワー制御を行うコントローラとを有するプリンタにおいて、前記コントローラは、プリンタの省電力状態時に、休止状態にすべき回路の電源への給電を部分的に停止するようにしたことを特徴とする。
【００１９】
請求項５記載の発明は、請求項４記載の発明において、前記省電力状態から定常状態への復帰に必要な回路の電源及びその他の電源を持ち、前記コントローラは、前記省電力状態から前記定常状態への復帰に必要な回路以外の電源の動作を停止するようにしたことを特徴とする。
【００２０】
請求項６記載の発明は、請求項５記載の発明において、電源回路と、前記電源回路の出力端に接続されたコンデンサと、前記電源回路をオンオフするスイッチ部と、前記電源回路の出力電圧を検出し、前記コンデンサの電圧が所定の値以下になると補充電をするため前記スイッチ部をオンにし、前記コンデンサの電圧が所定の値より大きくなると前記スイッチ部をオフにする信号を前記スイッチ部に送る定電圧検出部と、を有し、前記コントローラは、前記省電力状態からの復帰に必要な回路の電源には前記コンデンサから給電を行うようにしたことを特徴とする。
【発明の効果】
【００２１】
本発明によれば、省電力状態では、電力制御部がリレー等の電力制御手段を使って主電源の入力を遮断し、主電源の非動作電力を抑えられるようにすることと、電力制御用電源についてもコンデンサを使って電力制御部の機能を維持することで電力制御用電源を断続的に休止して省電力状態での消費電力を抑える事ができる。
【図面の簡単な説明】
【００２２】
【図１】本発明に係るプリンタの電源系統図の一実施例を示すブロック図である。
【図２】図１に示したプリンタに用いられる電力制御用電源の一実施例を示すブロック図である。
【図３】図２に示した電源回路の動作波形の一例である。
【図４】図１に示したプリンタの一例を示す概念図である。
【図５】従来のプリンタのブロック図である。
【図６】図５に示したプリンタに用いられる種電源及び電力制御用電源の概略図である。
【発明を実施するための形態】
【００２３】
プリンタの電源は、交流が給電されているだけでも電源内部の回路を動かすために電力を消費する。一般的に無負荷での消費電力は定格出力が大きい電源ほど大きいため、高速プリンタでは大きな定格出力が必要な主電源を消費電力が小さな電力制御用電源と電力制御部で制御し、印刷時や待機時は主電源をオンし、省電力状態時には主電源をオフする方法が一般的である。但し主電源に入力する電力を遮断するのでは無く、主電源の回路を信号で停止させ非動作としているため主電源内部の制御回路のために電力は消費されてしまう。
また電力制御用電源でも電力が消費されるため、主電源の非動作電力と制御用電源の電力が省電力状態でも消費される。エナジースターの基準も年々厳しくなっており、大判プリンタであれば基準値は最大でも１５Ｗ、最小では１．４Ｗであり、主電源の非動作電力と制御用電源で電力を消費するとエナジースターに対応することは困難になりつつある。
【００２４】
この問題を解決するために、省電力状態は電力制御部がリレーやソリッドステートリレーやトライアック（登録商標）等の電力制御手段を使って主電源への給電を遮断し、主電源の非動作電力を抑えられるようにする。
また電力制御用電源については、省電力状態ではオペレータの操作や上位機器からのコマンド受信時にプリンタを再起動されるための回路だけ動作させることで消費電力を抑える。省電力状態でのプリンタを再起動されるための回路は大電力を必要としない回路であるため、コンデンサに蓄電した電力を使って動作させ、且つ電力制御用電源も休止させ、コンデンサが放電して電圧が規定値以下に下がった場合には電力制御用電源を動作させ、コンデンサに補充電を行う様にして電力制御用電源で消費される電力消費も抑制する。
【実施例１】
【００２５】
＜構  成＞
図１は、本発明に係るプリンタの電源系統図の一実施例を示すブロック図である。
プリンタは、実際に印刷を行なうエンジン２４と、画像データの展開や処理およびエンジン２４のパワー制御を行なうコントローラ２５と、を有する。
エンジン２４は、電源スイッチ２、リレー５、主電源６、及び主回路７を有する。電源スイッチ２は、双極単投式のスイッチであるが、単極単投式のスイッチを用いても良い。
【００２６】
コントローラ２５は、電力制御用電源３、及び電力制御部４を有する。
【００２７】
プリンタは、電源スイッチ２がオンされると、交流電源１の電力が電力制御用電源３に給電され、電力制御部４が起動する。電力制御部４はエンジン２４が起動して良い条件であればリレー５をオンする。リレー５がオンすることで主電源６が起動し、プリンタを制御する主回路７に給電を開始する。
【００２８】
省電力状態へ遷移する場合には、電力制御部４はプリンタが印刷中でないことや、主回路７および電力制御部4の退避が必要なデータが図示しない不揮発性メモリおよびハードデスク等に退避済みで給電を停止しても問題が起こらない状態である事を確認し、リレー５をオフする。
【００２９】
図２は、図１に示したプリンタに用いられる電力制御用電源の一実施例を示すブロック図である。
図２に示す電力制御用電源３は、交流電源が入力されるダイオードスタック８、ドレインにダイオードスタック８の陽極が接続されたＦＥＴ１０、両端がＦＥＴ１０のドレイン、ソースに接続された抵抗９、ソースがＦＥＴ１０のゲートに接続され、ドレインがダイオードスタック８の陰極に接続されたＦＥＴ１１、陽極入力端がＦＥＴ１０のソースに接続され、陰極入力端がＦＥＴ１１のソースに接続された電源回路１２、アノードが電源回路１２の陽極出力端に接続されたダイオード１３、一方の入力端（図では左側）がダイオード１３のカソードに接続され、他方の入力端（この場合右側）が電源回路１２の陰極出力端に接続され、出力端がＦＥＴ１１のゲートに接続された定電圧検出部２３、及び両端が電源回路１２の陽極出力端及び陰極出力端に接続されたコンデンサ１４を有する。
電源回路１２は、一般的にＤＣ(Direct Current：直流)−ＤＣコンバータ方式もしくはシリーズパス方式のレギュレータが使われる。
コンデンサ１４は電解コンデンサが用いられるが、電気２重層コンデンサを用いても良い。
【００３０】
＜動  作＞
電力制御用電源３の動作を以下に説明する。
図１に示した交流電源１からの電力がダイオードスタック８で直流に整流され、ＦＥＴ１０を経由して電源回路１２にて図１の電力制御部４の動作に必要な電圧に変換される。
電源回路１２からの出力はダイオード１３を経由してコンデンサ１４を充電し、且つ図１の電力制御部４に供給される。コンデンサ１４に必要な電力が蓄電され電圧が規定の電圧になると、定電圧検出部２３がＦＥＴ１１をオフする。ＦＥＴ１１がオフするとＦＥＴ１０のゲート−ソース間が抵抗９により０Ｖでバイアスされるので、ＦＥＴ１０がオフする。
ＦＥＴ１０がオフすると電源回路１２は給電されないため、コンデンサ１４に蓄積された電力で図1の電力制御部４は動作する。ダイオード１３は、電源回路１２へのコンデンサ１４から電流の逆流防止が目的である。この状態では電力制御用電源３の電力の消費は無い。
【００３１】
図１に示した電力制御部４の動作条件から外れない範囲で、コンデンサ１４の電圧が下がりコンデンサ１４の蓄電が必要になると、定電圧検出部２３がＦＥＴ１１をオンする。ＦＥＴ１１がオンするとＦＥＴ１０がオンして電源回路１２が起動し、ダイオード１３経由でコンデンサ１４を蓄電する。
【００３２】
以降は図３に示す様にＦＥＴ１０のオン−オフの繰り返しで電源回路１２もオン−オフを繰り返すが、コンデンサ１４に蓄電されているため電力制御用電源３は一定範囲内の電圧を出力する。
図３は、図２に示した電源回路の動作波形の一例である。図３において横軸は時間を示し、縦軸はコンデンサ１４の電圧を示す。
【００３３】
省電力状態におけるプリンタは、省電力状態から抜け出すためのトリガとなる上位装置インターフェースや、操作パネルなどの操作部インターフェース以外の回路の動作を停止する。この状態で消費する電力は、外部インターフェース回路を含めた電力制御部４の電力、及び電力制御用電源３内で自己消費する電力である。
【００３４】
省電力状態では電力制御部４の消費電力は少ないが、ドロッパ方式やＤＣ-ＤＣコンバータ方式を使う電力制御用電源３内の電源回路１２が電力を消費する。電源回路１２は無負荷でも、電源回路を正常に動作させるための回路で電力を消費する。省電力状態では他の部位での電力が少ないため、全消費電力に対する電源回路１２自身の消費電力の割合は相対的に大きくなる。
したがって、省電力状態では電力制御部4の電力を小さくすることは必要であるが、同時に電力制御用電源３自身での電力消費を抑えれば、さらに電力消費が減らせる。電源回路１２は、給電されている状態では自身で電力を消費する。プリンタが省電力状態の時は、電力制御用電源３の負荷である電力制御部４も電力消費が少ない状態となっている。
つまり、プリンタが省電力状態の時、電力制御用電源３内の電源回路１２は、軽負荷となっている電力制御部４を一定時間動かせる容量のコンデンサ１４を持つことで、電源回路１２をフルに動かさず休止できる期間が出来る。休止期間は電源回路１２の給電がＦＥＴ１０で遮断されるため、電源回路１２自身の電力消費が減らせプリンタの省電力状態での電力も減らすことが出来る。
【００３５】
結果として本発明は、プリンタの電源自身が電力を消費するために省電力状態の電力が減らないという問題を、主電源６は給電を停止し、電力制御用電源３は内部の電源回路１２の給電停止期間を設ける事で電源での電力消費を抑えてプリンタの省電力状態での電力抑制を達成することができた。
【実施例２】
【００３６】
図４は、図１に示したプリンタの他の実施例を示す概念図である。
図４に示すプリンタ１００は、主にメカ的な構造を示しており、図１に示した主回路７はスキャナー、画像処理回路、制御回路、メモリ、操作部等の電源以外の回路を含む。
図４に示すプリンタ１００は、回転可能に支持されて矢印方向に回転する感光体２０１の外周部には、除電装置Ｌと、クリーニング装置２０２と、帯電装置２０３と、現像装置２０５とが配設されている。
【００３７】
感光体２０１の外周部における帯電装置２０３と現像装置２０５との間には、露光装置２０４から発せられる光情報を入射させるスペースが確保されている。
図４に示す構成では感光体２０１が４個（２０１ａ、２０１ｂ、２０１ｃ、２０１ｄ）あるが、現像装置２０５が扱う色材（トナー）の色が異なるのみであり、それぞれの外周部に設けられる画像形成用の上述した部品構成は同じである。
【００３８】
感光体２０１は、直径が３０ｍｍ〜１００ｍｍ程度のアルミニウム円筒表面に、光導電性物質である有機半導体の層を設けて構成され、その一部が中間転写ベルト（第１の顕像担持手段）２１０に接している。
【００３９】
中間転写ベルト２１０は、回転するローラ２１１、２１２、２１３、２１４により支持され、図４の矢印方向に移動可能に張架されている。この中間転写ベルト２１０の裏側（ループの内側）には、第１の転写手段としてのローラ２１２が感光体２０１の近傍に配備され、感光体２０１上の顕像を中間転写ベルト２１０に転写させる。
【００４０】
中間転写ベルト２１０のベルトループの外側における、中間転写ベルト２１０から顕像を記録媒体または裏面用中間転写ベルト（第２の顕像担持手段）２００に転写する位置の下流に、中間転写ベルト用クリーニング装置２５０が配設されている。このクリーニング装置２５０のブラシは、中間転写ベルト２１０から顕像が他に転写された後でベルト表面に残留する不要なトナーを拭い去る。
【００４１】
図４はブラシローラが裏面用中間転写ベルト２００の表面から離れた状態にある。このブラシローラは支点２５０Ａを中心として揺動可能に設けられ、裏面用中間転写ベルト２００表面に接離可能な構造になっている。
中間転写ベルト２１０から転写されたトナー像を記録媒体Ｐに転写する以前、すなわち裏面用中間転写ベルト１００がトナー像を担持しているときは離れた状態とし、記録媒体Ｐへの転写が行われてクリーニングが必要となったとき、ブラシローラは図４での反時計方向に揺動し接触される。
除去された不要トナーはトナー収納部２５０Ｂに集められる。
【００４２】
露光装置２０４は公知のレーザ方式によるもので、フルカラー画像形成に対応した光情報を、一様に帯電された感光体２０１表面に潜像として照射する。この露光装置２０４としては、ＬＥＤアレイと結像手段とから成る露光装置を用いてもよい。
【００４３】
このように、上述した感光体２０１と、クリーニング装置２０２と、帯電装置２０３と、露光装置２０４と、現像装置２０５と、除電装置Ｌと、第１の転写手段２１２とが、中間転写ベルト２１０に転写する顕像（トナーによる像）を生成する作像手段として機能する。
【００４４】
中間転写ベルト２１０は、基体の厚みが例えば５０μｍ〜６００μｍの樹脂フィルムあるいはゴムを基体にしたベルトであり、感光体２１１からトナーを転写可能とする抵抗値を備える。
この中間転写ベルト２１０に対して図４の右方には、ベルト状の裏面用中間転写ベルト（第２の顕像担持手段）２００が配設されている。この裏面用中間転写ベルト２００は、回転ローラ２１６、２１７、２１８、２１９により支持され、図４の矢印方向に移動可能に張架されており、裏側（ループの内側）には、第２の転写手段２1８が配設されている。裏面用中間転写ベルト２００によるベルトループの外側に、この裏面用中間転写ベルト用クリーニング装置２５０、チャージャＣＨ、などが配設されている。
【００４５】
上述した第２の転写手段２１９と、ローラ２１８、２１９と、中間転写ベルト２１０を支持するローラ２１４とにより、中間転写ベルト２１０と裏面用中間転写ベルト２００とが接触し、あらかじめ定められた転写ニップを形成する。
【００４６】
裏面用中間転写ベルト２００は、基体の厚みが例えば５０μｍ〜６００μｍの樹脂フィルムあるいはゴムを基体にしたベルトで、中間転写ベルト２１０からトナーを転写可能とする抵抗値を備えるベルトである。
【００４７】
記録媒体（用紙）Ｐは図の下方の給紙装置（給紙カセット）２２６−１、２２６−２に収納されており、最上にある用紙が給紙ローラ２２７で１枚ずつ、複数のガイド２２９を経てレジストローラ対２２８に搬送される。
記録媒体Ｐが搬送されるさらに下流には、定着用加熱手段２３０、排紙ガイド対２３１、排紙ローラ対２３２、排紙スタック部２４０が配設されている。
【００４８】
図４における中間転写ベルト２１０の上方で排紙スタック部２４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００４９】
こうした装置本体の一部であるフレーム２５１は、開閉支軸２５１Ａを中心として、回動・開放が可能な構造にされている。このため、ユーザはこのフレーム２５１を開いた状態とすることにより記録媒体の搬送路を大きく開くことができ、ジャムが発生した場合の記録媒体（用紙）の処理を容易にしている。
【００５０】
また、上述した記録媒体Ｐへの画像形成を行う装置本体の上部に示した読み取り装置が支持部２６６を介して連設され、この画像読み取り装置により読み取られた画像データを上述した装置本体が記録媒体Ｐに印刷することで、コピー動作を可能にするよう構成されている。
このようなプリンタ１００においても、省電力状態では、電力制御部がリレー等の電力制御手段を使って主電源の入力を遮断し、主電源の非動作電力を抑えられるようにすることと、電力制御用電源についてもコンデンサを使って電力制御部の機能を維持することで電力制御用電源を断続的に休止して省電力状態での消費電力を抑える事ができる。
【００５１】
なお、上述した実施の形態は、本発明の好適な実施の形態の一例を示すものであり、本発明はそれに限定されることなく、その要旨を逸脱しない範囲内において、種々変形実施が可能である。
【００５２】
ここで、特許文献２に記載の発明は、省電力状態からの復帰をスムーズに行なうための方法の発明であるのに対し、本願発明は、省電力時に不要な電源を切り離し、さらに必要な電源も余裕があれば休止する点で相違している。
また、特許文献２に記載の発明は、補助電源の電力が不足すると主電源を起動させて補助電源の能力を補うブースター的なものであるのに対し、本願発明は、電源が繋がっているだけで電力を消費するため主電源を交流から切り離し、尚且つ電力制御用電源も負荷が軽い時は動作を停止することにより消費電力を軽減する点で相違する。
【符号の説明】
【００５３】
１    交流電源
２    電源スイッチ
３    電力制御用電源
４    電力制御部
５    リレー
６    主電源
７    主回路
８    ダイオードスタック
９    抵抗
１０、１１、１９    ＦＥＴ
１２    電源回路
１３、２０、２１    ダイオード
１４、２２    コンデンサ
１５    ダイオードスタック
１６    定電圧回路
１７    電源制御回路
１８    トランス
２３    定電圧検出部
２４    エンジン
２５    コントローラ
２６    電源制御信号入力
【先行技術文献】
【特許文献】
【００５４】
【特許文献１】特開２００８−１４２９４２号公報
【特許文献２】特開２００５−１３２０５２号公報
【図１】
2011098482.tif 000003
【図２】
2011098482.tif 000004
【図３】
2011098482.tif 000005
【図４】
2011098482.tif 000006
【図５】
2011098482.tif 000007
【図６】
2011098482.tif 000008